(57)【要約】【課題】様々なサイズの媒体を使用可能な印刷装置において装置内部に異物が侵入することを抑制する。【解決手段】媒体に印刷を行うことが可能な印刷部５と、印刷部５を収容する筐体部４と、筐体部４から突出しない位置であって第１サイズの媒体を収容可能な第１位置と、筐体部４から突出する突出部分１９を有する位置であって第１サイズよりも大きい第２サイズの媒体を収容可能な第２位置と、に変位可能な媒体収容部２と、媒体収容部２が第２位置にある際に突出部分１９をカバー可能なカバー部８と、媒体収容部２が第１位置にある際にカバー部８を収納可能なカバー部収納部１１と、を備えることを特徴とする印刷装置１。【選択図】図８
2018087052.tif 000002
【特許請求の範囲】
【請求項１】
媒体に印刷を行うことが可能な印刷部と、
前記印刷部を収容する筐体部と、
前記筐体部から突出しない位置であって第１サイズの媒体を収容可能な第１位置と、前記筐体部から突出する突出部分を有する位置であって前記第１サイズよりも大きい第２サイズの媒体を収容可能な第２位置と、に変位可能な媒体収容部と、
前記媒体収容部が前記第２位置にある際に前記突出部分をカバー可能なカバー部と、
前記媒体収容部が前記第１位置にある際に前記カバー部を収納可能なカバー部収納部と、
を備えることを特徴とする印刷装置。
【請求項２】
請求項１に記載の印刷装置において、
前記カバー部は、折り畳み可能であり、折り畳まれた状態で前記カバー部収納部に収納されることを特徴とする印刷装置。
【請求項３】
請求項１又は２に記載の印刷装置において、
前記カバー部収納部は、前記媒体収容部の内部に設けられることを特徴とする印刷装置。
【請求項４】
請求項３に記載の印刷装置において、
前記カバー部収納部に前記カバー部が収納された状態で前記第１サイズの媒体を収容可能に構成されていることを特徴とする印刷装置。
【請求項５】
請求項１又は２に記載の印刷装置において、
前記カバー部収納部は、前記印刷装置の下部に設けられることを特徴とする印刷装置。
【請求項６】
請求項１から５のいずれか１項に記載の印刷装置において、
前記印刷部の印刷領域を露出させる開位置と、該印刷領域をカバーする閉位置と、に変位可能な開閉部を備え、
前記開閉部が前記閉位置にある際に該開閉部と前記筐体部とが対向する対向領域を有し、
前記対向領域には、前記開閉部が前記閉位置にある際において、該開閉部と前記筐体部との隙間が形成されるとともに、該隙間から離間した位置に該隙間を介して該筐体部の内部に異物が侵入することを抑制するシール部材を備えることを特徴とする印刷装置。
【発明の詳細な説明】
【技術分野】
【０００１】
本発明は、印刷装置に関する。
【背景技術】
【０００２】
従来から、様々な印刷装置が使用されている。このような印刷装置においては、様々なサイズの媒体を使用可能なものがある。  
例えば、特許文献１には、媒体収容部としての給紙カセットを変形することで異なる（大きな）サイズの媒体を収容可能（使用可能）なプリンタ（印刷装置）が開示されている。
【先行技術文献】
【特許文献】
【０００３】
【特許文献１】特開平１１−１００１３０号公報
【発明の概要】
【発明が解決しようとする課題】
【０００４】
特許文献１に開示される印刷装置は、異なるサイズの媒体を使用可能であるが、大きなサイズの媒体を使用する場合、媒体収容部が露出された状態となるため、印刷装置の内部に異物が侵入しやすい。印刷装置の内部に異物が侵入すると、印刷部に異物が付着するなどして、印刷不良を生じやすい。
【０００５】
そこで、本発明は、様々なサイズの媒体を使用可能な印刷装置において装置内部に異物が侵入することを抑制することを目的にする。
【課題を解決するための手段】
【０００６】
上記課題を解決するための本発明の第１の態様の印刷装置は、媒体に印刷を行うことが可能な印刷部と、前記印刷部を収容する筐体部と、前記筐体部から突出しない位置であって第１サイズの媒体を収容可能な第１位置と、前記筐体部から突出する突出部分を有する位置であって前記第１サイズよりも大きい第２サイズの媒体を収容可能な第２位置と、に変位可能な媒体収容部と、前記媒体収容部が前記第２位置にある際に前記突出部分をカバー可能なカバー部と、前記媒体収容部が前記第１位置にある際に前記カバー部を収納可能なカバー部収納部と、を備えることを特徴とする。
【０００７】
本態様によれば、第１位置と第２位置とに変位可能な媒体収容部を備えることで様々なサイズの媒体を使用できる。そして、媒体収容部が第２位置にある際に突出部分をカバー部でカバーすることにより、媒体収容部が露出された状態となることを抑制し、装置内部に異物が侵入することを抑制することができる。さらに、媒体収容部が第１位置にある際には、カバー部収納部にカバー部を収納することで、カバー部が邪魔になることを抑制しつつ装置内部に異物が侵入することを抑制することができる。  
なお、第１位置と第２位置とに「変位可能」とは、媒体収容部全体が移動することにより行われる場合のほか、媒体収容部の一部を移動させることや媒体収容部の少なくとも一部の姿勢を変化させることにより行われる場合なども含む意味である。
【０００８】
本発明の第２の態様の印刷装置は、前記第１の態様において、前記カバー部は、折り畳み可能であり、折り畳まれた状態で前記カバー部収納部に収納されることを特徴とする。
【０００９】
本態様によれば、カバー部を折り畳んだ状態でカバー部収納部に収納できるので、カバー部収納部を小さく構成することができ、印刷装置全体のサイズが大型化することを抑制できる。
【００１０】
本発明の第３の態様の印刷装置は、前記第１又は第２の態様において、前記カバー部収納部は、前記媒体収容部の内部に設けられることを特徴とする。
【００１１】
本態様によれば、カバー部収納部が媒体収容部の内部に設けられるので、媒体収容部が第１位置にある際にカバー部を媒体収容部の内部にしまうことができる。
【００１２】
本発明の第４の態様の印刷装置は、前記第３の態様において、前記カバー部収納部に前記カバー部が収納された状態で前記第１サイズの媒体を収容可能に構成されていることを特徴とする。
【００１３】
本態様によれば、カバー部が収納された状態で第１サイズの媒体を収容可能なので、媒体収容部が第１位置にある際にカバー部を媒体収容部から取り出すことなく（カバー部を取り出す手間やカバー部を置いておく場所を確保する手間を抑制して）そのまま第１サイズの媒体に印刷できる。
【００１４】
本発明の第５の態様の印刷装置は、前記第１又は第２の態様において、前記カバー部収納部は、前記印刷装置の下部に設けられることを特徴とする。
【００１５】
印刷装置の下部には、空間などを設けやすいが、本態様によれば、カバー部収納部が印刷装置の下部に設けられるので、媒体収容部が第１位置にある際にカバー部を該空間にしまうことができる。
【００１６】
本発明の第６の態様の印刷装置は、前記第１から第５のいずれか１つの態様において、前記印刷部の印刷領域を露出させる開位置と、該印刷領域をカバーする閉位置と、に変位可能な開閉部を備え、前記開閉部が前記閉位置にある際に該開閉部と前記筐体部とが対向する対向領域を有し、前記対向領域には、前記開閉部が前記閉位置にある際において、該開閉部と前記筐体部との隙間が形成されるとともに、該隙間から離間した位置に該隙間を介して該筐体部の内部に異物が侵入することを抑制するシール部材を備えることを特徴とする。
【００１７】
印刷装置の内部に異物が侵入すると印刷部に異物が付着するなどして印刷不良を生じさせる場合などがある。一方、印刷装置の内部を外部に対して密閉に近い状態にすると、例えば、インクミストなどが印刷装置の内部に滞留して汚れてしまう場合などがある。そこで、印刷装置の内部への異物の侵入を抑制しつつ印刷装置の内部を外部に対して密閉しないようにすることが特に好ましい。  
本態様によれば、筐体部の内部に異物が侵入することを抑制するシール部材を備えることで印刷装置の内部への異物の侵入を抑制できるとともに、対向領域に開閉部と筐体部との隙間が形成され、該隙間を埋めてしまわないように該隙間から離間した位置にシール部材を設けている。このため、印刷装置の内部への異物の侵入を抑制しつつ印刷装置の内部を外部に対して密閉しないようにすることが可能になる。
【図面の簡単な説明】
【００１８】
【図１】本発明の一実施例に係る印刷装置の概略斜視図。
【図２】本発明の一実施例に係る印刷装置の概略斜視図。
【図３】本発明の一実施例に係る印刷装置の概略斜視図。
【図４】本発明の一実施例に係る印刷装置のカバー部の概略斜視図。
【図５】本発明の一実施例に係る印刷装置のカバー部の概略斜視図。
【図６】本発明の一実施例に係る印刷装置にカバー部を装着した状態を表す概略平面図。
【図７】本発明の一実施例に係る印刷装置にカバー部を装着した状態を表す概略側面断面図。
【図８】本発明の一実施例に係る印刷装置のカバー部収納部が設けられる部分の概略斜視図。
【図９】本発明の一実施例に係る印刷装置の概略斜視図。
【図１０】本発明の一実施例に係る印刷装置のカバー部収納部が設けられる部分の概略正面図。
【図１１】本発明の一実施例に係る印刷装置の開閉部の周辺部を表す概略斜視図。
【図１２】本発明の一実施例に係る印刷装置の開閉部の周辺部を表す概略斜視断面図。
【図１３】本発明の一実施例に係る印刷装置の開閉部の周辺部を表す概略正面断面図。
【発明を実施するための形態】
【００１９】
以下に、本発明の一実施例に係る印刷装置１について、添付図面を参照して詳細に説明する。  
最初に、本実施例の印刷装置１の概要について説明する。  
図１〜図３は本実施例の印刷装置１の概略斜視図である。
【００２０】
本実施例の印刷装置１は、カット紙などの単票状の媒体を収容可能な媒体収容部２と、ロール状の媒体をセット可能なセット部３と、を備えており、単票状の媒体にもロール状の媒体にも印刷が可能な構成になっている。そして、本実施例の媒体収容部２は、トレイ２ａとトレイ２ｂとで構成されており、トレイ２ａとトレイ２ｂとに異なる種類（素材、サイズなど）の媒体をセット可能になっている。
【００２１】
また、本実施例の印刷装置１は、図１で表されるように筐体部４の内部にインクジェットヘッドである印刷部５を備えており、媒体収容部２及びセット部３にセットから搬送される媒体に印刷部５からインクを吐出して該媒体に画像を形成することが可能に構成されている。  
なお、媒体収容部２に収容された媒体に画像を形成する（印刷する）際には、最初に、搬送方向Ａとしての方向Ａ１に媒体を搬送し、該媒体を反転（Ｕターン）させて、搬送方向Ａとしての方向Ａ２に該媒体を搬送しつつ印刷部５からインクを吐出して該媒体に画像を形成する。
【００２２】
ここで、印刷部５は、媒体の搬送方向Ａと交差する走査方向Ｂに往復移動しながら、搬送される媒体に不図示のノズルからインクを吐出して印刷することが可能な構成である。このような構成の印刷部５を備えていることにより、本実施例の印刷装置１は、所定量（１パス分）媒体を搬送方向Ａに搬送させることと、媒体を停止した状態で印刷部５を走査方向Ｂに移動させながらインクを吐出させることと、を繰り返すことで、媒体に所望の画像を形成可能である。  
なお、本実施例の印刷装置１は、媒体の搬送と印刷部５の走査とを交互に繰り返して印刷を行う所謂シリアルプリンターであるが、媒体の幅方向に沿ってライン状にノズルが形成されたラインヘッドを使用して連続的に媒体を搬送しながら連続的に印刷を行う所謂ラインプリンターであってもよい。さらには、例えば、転写式プリンターなど、インクジェットプリンター以外の印刷装置であってもよい。
【００２３】
また、セット部３にセットされた媒体に印刷する際には、搬送方向Ａに該媒体を搬送しつつ印刷部５からインクを吐出して該媒体に画像を形成する。
【００２４】
そして、媒体収容部２又はセット部３から搬送され、印刷部５により印刷された媒体は、排出口６から排出される。なお、本実施例の印刷装置１は、排出口６から排出される媒体の大きさなどに対応して、スタッカー１８を搬送方向Ａに沿って引き出し可能な構造となっている。
【００２５】
ここで、図１と図２及び図３とを比較するとわかるように、本実施例のトレイ２ａは、引き出し部７が引き出し可能（搬送方向Ａに沿って移動可能）になっている。図２及び図３で表されるように引き出し部７を引き出すことで、トレイ２ａは大きなサイズの媒体を収容可能となり、本実施例の印刷装置１は、該大きなサイズの媒体に印刷ができる構成になっている。なお、トレイ２ａの詳細な構造については後述する。
【００２６】
また、図２と図３とを比較するとわかるように、本実施例の印刷装置１は、トレイ２ａの引き出し部７を引き出した状態においてその上部（突出部分１９）をカバーするカバー部８を備えている。図２で表される状態で印刷をすると引き出し部７の上部が露出された状態となるので、印刷装置１の使用環境などによっては塵や埃などの異物が混入する虞がある。そこで、本実施例の印刷装置１は、図３で表されるように引き出し部７の上部をカバー部８でカバーすることにより、異物の混入を抑制することができる構成になっている。
【００２７】
次に、本実施例の印刷装置１の要部の１つであるカバー部８について説明する。  
図４及び図５は、本実施例の印刷装置１のカバー部８の概略斜視図である。また、図６は、本実施例の印刷装置１にカバー部８を装着した状態を表す概略平面図である。また、図７は、本実施例の印刷装置１にカバー部８を装着した状態を表す概略側面断面図である。
【００２８】
本実施例のカバー部８は、第１構成部８ｈと第２構成部８ｉとがテープ８ｋにより回動軸８ｊを基準に回動方向Ｃに回動可能な状態で取り付けられている。このような構成により、図５で表されるように、カバー部８は折り畳み可能な構成になっている。
【００２９】
また、本実施例のカバー部８は、引き出し部７の上部をカバーした状態において引き出し部７に対してずれにくい構成になっている。具体的には以下の通りである。  
本実施例のカバー部８は、前面接触部８ａを備えており、引き出し部７の上部をカバーした状態において前面接触部８ａが引き出し部７の前面７ａと係合することにより方向Ａ１にずれにくくなっている。  
また、引き出し部７の前側上面７ｄには突起部７ｂが、引き出し部７の前側上面７ｆには突起部７ｃが、形成されている。そして、カバー部８には、突起部７ｂに対応して係合部８ｂが、突起部７ｃに対応して係合部８ｃが、形成されている。このような構成となっていることで、引き出し部７の上部をカバーした状態において走査方向Ｂにずれにくくなっているとともに方向Ａ２にずれにくくなっている。  
なお、このようなカバー部８の引き出し部７に対する位置決め構造は、カバー部８や引き出し部７の設計公差を考慮した設計になっている。
【００３０】
また、本実施例の引き出し部７は、上面に画像読取部などのオプション装置を取り付け可能になっており、前側上面７ｄ及び７ｆと後側上面７ｅ及び７ｇとの間に段差がある。別の表現をすると、前側上面７ｄ及び７ｆに比べて後側上面７ｅ及び７ｇが低くなっている（図７及び図８参照）。本実施例のカバー部８は、この段差に起因してぐらつく（不安定になる）ことを抑制するため、高さ調整部材８ｅ及び８ｇが設けられている。  
また、本実施例のカバー部８は、長手方向に撓みにくくするため、折り曲げ構造部８ｌを有している。そして、該折り曲げ構造部８ｌを有する構造とし、図６で表されるようにこの部分にユーザーが指を入れることが可能な領域８ｍを形成することで、ユーザーがカバー部８を取り付けたり取り外したりすることが容易になっている。  
さらに、本実施例のカバー部８は、切欠き部８ｎ及び８ｏを有しており、図６で表されるようにカバー部８が引き出し部７にセットされた際、スタッカー１８の引き出し位置を示す引き出し部７に形成された印７ｎ及び７ｏが隠れないように構成されている。
【００３１】
なお、本実施例のカバー部８は、上記のような構成であるが、このような構成に限定されない。例えば、折り畳み可能な構成でなくてもよいし、異なる折り畳み方の構成（蛇腹や４つ折りなど、複数の場所で折り畳み可能な構成など）でもよい。また、各構成部材の素材なども、樹脂や金属のほかセラミックスや木材など特に限定なく、さらに、組み合わせても使用できる。
【００３２】
ここで、本実施例の印刷装置１は、カバー部８を使用しない場合（引き出し部７を引き出していない状態の場合）、カバー部８を収納できる構成になっている。  
すなわち、本実施例の印刷装置１は、媒体に印刷を行うことが可能な印刷部５と、印刷部５を収容する筐体部４とを備えている。そして、筐体部４から突出しない位置であって第１サイズ（例えばＡ３サイズ）の媒体を収容可能な第１位置（図１で表される位置）と、筐体部４から突出する突出部分１９（引き出し部７に対応）を有する位置であって第１サイズよりも大きい第２サイズ（例えばＡ２サイズ）の媒体を収容可能な第２位置（図２及び図３で表される位置）と、に変位可能な媒体収容部２（トレイ２ａ）を備えている。そして、媒体収容部２が第２位置にある際に突出部分１９をカバー可能なカバー部８と、媒体収容部２が第１位置にある際にカバー部８を収納可能なカバー部収納部１１（図８〜図１０参照）と、を備えている。  
本実施例の印刷装置１は、第１位置と第２位置とに変位可能な媒体収容部２を備えることで様々なサイズの媒体を使用できる。そして、媒体収容部２が第２位置にある際に突出部分１９をカバー部８でカバーすることにより、媒体収容部２が露出された状態となることを抑制し、装置内部に異物が侵入することを抑制することができる。さらに、媒体収容部２が第１位置にある際には、カバー部収納部１１にカバー部８を収納することで、カバー部８が邪魔になることを抑制しつつ装置内部に異物が侵入することを抑制することができる。  
なお、第１位置と第２位置とに「変位可能」とは、媒体収容部２全体を移動することにより行われる場合だけでなく、本実施例のように、媒体収容部の一部（引き出し部７）を移動させる（媒体収容部２の少なくとも一部の姿勢を変化させる）ことにより行われる場合なども含む意味である。
【００３３】
以下に、本実施例の印刷装置１の要部の１つであるカバー部収納部１１について詳細に説明する。なお、本実施例の印刷装置１は、カバー部収納部１１を２カ所（載置部１１ａ及び１１ｂ）備えている。  
ここで、図８は、本実施例の印刷装置１のカバー部収納部１１（載置部１１ａ）が設けられる部分の概略斜視図である。また、図９は、本実施例の印刷装置１の概略斜視図である。そして、図１０は、本実施例の印刷装置１のカバー部収納部１１（載置部１１ｂ）が設けられる部分の概略正面図である。  
なお、図９は図２に対応する図であるが、図２はカバー部８を載置部１１ａに収納した状態を表しており、図９はカバー部８を載置部１１ｂに収納した状態を表している。
【００３４】
最初に、カバー部収納部１１のうちの載置部１１ａについて説明する。  
図８で表されるように、載置部１１ａは、トレイ２ａに設けられている。  
別の表現をすると、本実施例のカバー部収納部１１としての載置部１１ａは、媒体収容部２の内部に設けられている。このため、媒体収容部２が第１位置（図１で表される位置）にある際にカバー部８を媒体収容部２の内部にしまうことができる構成になっている。  
なお、本実施例の載置部１１ａは、カバー部８の載置位置が分かりやすくなるとともに収納されたカバー部８が他の部材と干渉しないように、トレイ２ａの底面１６をカバー部８の形状に合わせて窪ませて形成されている。ただし、このような構成に限定されず、カバー部８の載置位置を異なる色で表す構成とすることや、印刷装置１の取扱説明書などに場所を明記するだけなどであってもよい。
【００３５】
なお、本実施例のトレイ２ａは、収容する媒体のサイズに合わせて該媒体の位置決めをする（媒体の端部を接触させることで媒体の端部の位置を決める）位置決め部９及び位置決め部１０を備えている。ユーザーは、媒体の長さ（搬送方向Ａに沿う方向の長さ）に応じて位置決め部９の搬送方向Ａに沿う方向の位置を設定し、媒体の幅（走査方向Ｂに沿う方向の長さ）に応じて位置決め部１０の走査方向Ｂに沿う方向の位置を設定することができる。媒体収容部２がこのような構成となっていることで、本実施例の印刷装置１は、第１サイズ（例えばＡ３サイズ）及び第２サイズ（例えばＡ２サイズ）の媒体だけでなく、第１サイズよりも小さい第３サイズ（例えばＡ４サイズ）、第４サイズ（例えばＡ５サイズ）…などの媒体に印刷することが可能になっている。
【００３６】
ここで、本実施例のトレイ２ａは、第１サイズの媒体を収容する際の適正位置に位置決め部１０を位置させた際、位置決め部１０が載置部１１ａに干渉しない位置になるように構成されている。  
別の表現をすると、本実施例の印刷装置１は、カバー部収納部１１にカバー部８が収納された状態で第１サイズの媒体を収容可能に構成されている。このため、媒体収容部２が第１位置（図１で表される位置）にある際にカバー部８を媒体収容部２から取り出すことなく（カバー部８を取り出す手間やカバー部８を置いておく場所を確保する手間を抑制して）そのまま第１サイズの媒体に印刷できる構成になっている。
【００３７】
次に、カバー部収納部１１のうちの載置部１１ｂについて説明する。  
図９及び図１０で表されるように、載置部１１ｂは、トレイ２ｂの下部に設けられている。  
別の表現をすると、本実施例のカバー部収納部１１としての載置部１１ｂは、印刷装置１の下部に設けられている。一般的に、印刷装置１の下部には空間Ｓなどを設けやすいが、本実施例の印刷装置１は、カバー部収納部１１が印刷装置１の下部に設けられるので、媒体収容部２が第１位置（図１で表される位置）にある際にカバー部８を該空間Ｓにしまうことができる構成になっている。
【００３８】
図１０で表されるように、載置部１１ｂは空間Ｓに対応する位置の筐体部４の両側に設けられた棚状の構造物である。ユーザーは、カバー部８を折り畳んだ後にカバー部８の長手方向の両端部を両側の載置部１１ｂに載置させるようにして回動軸８ｊ側を先頭方向にして前側から後ろ側に（方向Ａ１に）スライドさせることで、カバー部８を載置部１１ｂに収納させることができる。  
ただし、このような構成に限定されない。例えば、棚状の構造物などを形成することなく、カバー部収納部１１としての空間Ｓを印刷装置１の下部に設けるだけの構成であってもよい。しかしながら、本実施例の載置部１１ｂのように棚状の構造物などを形成することで、そのままの状態でカバー部８ごと印刷装置１を移動可能となり便利になる。
【００３９】
なお、上記のようにカバー部８は、折り畳み可能である。そして、本実施例の印刷装置１は、カバー部８が折り畳まれた状態でカバー部収納部１１（載置部１１ａ及び１１ｂ共）に収納される構成になっている。カバー部８を折り畳んだ状態でカバー部収納部１１に収納できる構成としていることで、カバー部収納部１１を小さく構成することができており、印刷装置１全体のサイズが大型化することを抑制している。  
ただし、このような構成に限定されず、カバー部８を折り畳むことなく収納可能なカバー部収納部１１としてもよい。
【００４０】
また、本実施例の印刷装置１は、印刷領域Ｒを露出可能な開閉部１２を備えている。  
そこで、次に、開閉部１２の周辺部分について説明する。  
ここで、図１１は、本実施例の印刷装置１の開閉部１２の周辺部を表す概略斜視図である。また、図１２は、本実施例の印刷装置１の開閉部１２の周辺部を表す概略斜視断面図である。そして、図１３は、本実施例の印刷装置１の開閉部１２の周辺部を表す概略正面断面図であり、図１２の領域Ｘに対応する図である。
【００４１】
図１１で表されるように、本実施例の開閉部１２は、矩形であり、その１辺に構成された回動軸１７を基準に回動方向Ｄに回動することにより開閉可能な構成になっている。そして、図１１で表されるように、開閉部１２が開いた状態である開位置にあると印刷領域Ｒが露出される。開閉部１２が開くことにより露出される開口部も矩形であるが、該開口部の面積よりも開閉部１２の該開口部に対応する面の面積の方が大きく構成されているため、開閉部１２が閉められた閉位置にある際には開閉部１２と筐体部４とが対向する対向領域１３が形成される。
【００４２】
すなわち、本実施例の印刷装置１は、印刷部５の印刷領域Ｒを露出させる開位置と、該印刷領域Ｒをカバーする閉位置と、に変位可能な開閉部１２を備え、開閉部１２が閉位置にある際に該開閉部１２と筐体部４とが対向する対向領域１３を有すると表現できる。  
そして、図１３で表されるように、対向領域１３には、開閉部１２が閉位置にある際において、該開閉部１２と筐体部４との隙間１５が形成されるとともに、該隙間１５から離間した位置に該隙間１５を介して該筐体部４の内部に異物が侵入することを抑制するシール部材１４を備えている。  
印刷装置１の内部に異物が侵入すると印刷部５に異物が付着するなどして印刷不良を生じさせる場合などがある。一方、印刷装置１の内部を外部に対して密閉に近い状態にすると、例えば、インクミストなどが印刷装置１の内部に滞留して汚れてしまう場合などがある。そこで、印刷装置１の内部への異物の侵入を抑制しつつ印刷装置１の内部を外部に対して密閉しないようにすることが特に好ましい。  
本実施例の印刷装置１は、筐体部４の内部に異物が侵入することを抑制するシール部材１４を備えることで印刷装置１の内部への異物の侵入を抑制できるとともに、対向領域１３に開閉部１２と筐体部４との隙間１５が形成され、該隙間１５を埋めてしまわないように該隙間１５から離間した位置にシール部材１４を設けている。このため、印刷装置１の内部への異物の侵入を抑制しつつ印刷装置１の内部を外部に対して密閉しないようにすることを可能にしている。  
なお、本実施例のシール部材１４はスポンジで構成されているが、シール部材１４の材質や配置などに特に限定は無い。
【００４３】
なお、本発明は上記実施例に限定されることなく、特許請求の範囲に記載した発明の範囲内で種々の変形が可能であり、それらも本発明の範囲内に含まれることは言うまでもない。  
例えば、本実施例の印刷装置１は、カバー部収納部１１を２カ所備えていたが、１カ所だけに備える構成でもよいし、３ヶ所以上備える構成でもよい。例えば、セット部３に媒体がセットされていないときにセット部３にカバー部８を収納することが可能な構成（セット部３がカバー部収納部１１を兼ねる構成）などとしてもよい。
【符号の説明】
【００４４】
１…印刷装置、２…媒体収容部、２ａ…トレイ、２ｂ…トレイ、３…セット部、
４…筐体部、５…印刷部、６…排出口、７…引き出し部、７ａ…引き出し部７の前面、
７ｂ…突起部、７ｃ…突起部、７ｄ…引き出し部７の前側上面、
７ｅ…引き出し部７の後側上面、７ｆ…引き出し部７の前側上面、
７ｇ…引き出し部７の後側上面、７ｎ…印、７ｏ…印、８…カバー部、
８ａ…前面接触部、８ｂ…係合部、８ｃ…係合部、８ｅ…高さ調整部材、
８ｇ…高さ調整部材、８ｈ…第１構成部、８ｉ…第２構成部、８ｊ…回動軸、
８ｋ…テープ、８ｌ…折り曲げ構造部、
８ｍ…ユーザーが指を入れることが可能な領域、８ｎ…切欠き部、８ｏ…切欠き部、
９…位置決め部、１０…位置決め部、１１…カバー部収納部、１１ａ…載置部、
１１ｂ…載置部、１２…開閉部、１３…対向領域、１４…シール部材、１５…隙間、
１６…トレイ２ａの底面、１７…回動軸、１８…スタッカー、Ｒ…印刷領域、Ｓ…空間
【図１】
2018087052.tif 000003
【図２】
2018087052.tif 000004
【図３】
2018087052.tif 000005
【図４】
2018087052.tif 000006
【図５】
2018087052.tif 000007
【図６】
2018087052.tif 000008
【図７】
2018087052.tif 000009
【図８】
2018087052.tif 000010
【図９】
2018087052.tif 000011
【図１０】
2018087052.tif 000012
【図１１】
2018087052.tif 000013
【図１２】
2018087052.tif 000014
【図１３】
2018087052.tif 000015